(57)【要約】【課題】従来からの映像検索の技術では、個々の選択に応じて各種のデータ保管サーバーに保管されている映像等を検索し閲覧することは出来る。しかし、検索された映像等に登場する人物が本物かどうかの判断他を依頼者に代わって行った上で表示することは出来なかった。また、自分の選択のみで、自分が指定した人に自分の選択映像を閲覧させること及び選択した映像毎に予め定めたタイトルやテロップを合わせて表示することも出来なかった。【解決手段】予め、依頼者が見たい又は指定人に見せたい映像の候補情報を依頼者に表示して入力させ、その入力情報に基づき、予め保管済みの映像アクセス用アドレスを送信する。又は、送信した映像アクセス用のアドレスに自動的にアクセスし映像を表示する。又は、表示する映像の前に、予め定めておいた表示映像に対応したタイトル等を映像の表示前に表示する。又は、設定したタイムテーブルに合わせて映像アクセス用アドレスにクセスして選択した映像が閲覧できるシステム。【選択図】図１
2017188054.tif 000002
【特許請求の範囲】
【請求項１】
個人で見たい又は自分が指定する人に見せたいというような「映像、音声、画像、又はゲームの形態の著作物データ（以下「著作物データ」という）」の閲覧や指定人への表示を希望する個人（以下「依頼者」という）に著作物データ閲覧用の電子アドレスを送信する映像検索の代行システムであって、前記代行システムは、記憶装置、候補表示及び選択受付手段、著作物アドレス抽出手段、受信手段、及び送信手段を備え、前記依頼者の情報端末又は前記依頼者が指定した情報端末とにインターネット等のネットワーク（以下まとめて「インターネット」という）に接続して通信可能とされており、前記記憶装置には前記著作権データの選択の参考項目のデータである候補情報（以下「候補情報」という）と、前記候補情報毎に紐付いた著作物データへのアクセス用電子アドレス（以下「著作物アクセス用アドレス」という）とが格納されており、前記受信手段が前記依頼者の情報端末からアクセスを受信した場合には、前記表示及び選択受付手段が、前記記憶装置に記憶されている前記候補情報に係る選択又は入力欄を表示して前記依頼者に選択又は入力させ依頼済みの前記候補情報（以下「代行依頼済み候補情報」という）を作成して前記著作物アドレス抽出手段に送り、前記著作物アドレス抽出手段が前記記憶装置から前記代行依頼済み候補情報に係る前記著作物アクセス用アドレスを抽出した上で、前記送信手段からインターネット経由で、前記依頼者の情報端末又は前記依頼者が指定した情報端末に送信することを特徴とする、オリジナル映像番組の表示又は編集の代行システム
【請求項２】
前記依頼者の情報端末又は前記依頼者が指定した情報端末に、受信した前記著作物アクセス用アドレスを用いて自動的にインターネット経由で著作物データを閲覧するシステム（以下「情報端末側システム」という）をダウンロードさせて機能させることを特徴とする、請求項１に記載の前記オリジナル映像番組の表示又は編集の代行システム
【請求項３】
前記情報端末側システムに、インターネット経由で受信する著作物データに、指定した保管データを合わせて編集又は表示するシステムを加え機能させることを特徴とする、請求項１または請求項２に記載のオリジナル映像番組の表示又は編集の代行システム
【請求項４】
前記情報端末側システムに、個々の曜日及び時間帯にアクセスする前記著作物アクセス用アドレスを指定時間帯を設定しておき、個別の曜日及び時間帯の到来時に対応して、到来した個別の曜日及び時間帯に指定された前記候補情報に係る前記著作物アクセス用アドレスにインターネット経由でアクセスし、著作物データを受信し表示することを特徴とする、請求項１ないし請求項３に記載のオリジナル映像番組の表示又は編集の代行システム
【請求項５】
前記情報端末側システムを、全て前記オリジナル映像番組の表示又は編集の代行システム内に装備することを特徴とする、請求項１ないし請求項４に記載のオリジナル映像番組の表示又は編集の代行システム
【発明の詳細な説明】
【技術分野】
【０００１】本発明は、個人に対して提供する、著作物である映像、音声、画像、及びゲームのデータ（以下「著作物データ」という）の個人による私的使用（閲覧等）を目的としたデータ選択の代行を実施するシステムであって、個人が著作物データの個人的な使用（閲覧等）を行う場合において、インターネット等のネットワーク（以下、まとめて「インターネット」という）経由で、自分の見たい又は見せたい著作権データのジャンルを入力するだけで、あたかも、テレビ放映と同じように又はタイムテーブルに従い、自分毎に選択及び編成された著作権データが送信せれてくる又は見られるという、個人の行う映像選択の代行システムの技術である。尚、この代行システムの技術は、日本国の著作権法で個人に対して認められている「著作物の自由利用（著作権法第３０条に規定されている著作物の私的使用のための複製）」に該当する範囲内で個人が実施する「個人が行う著作物である著作権データのインターネット等でのデータ検索及び表示」を代行又は補助するシステムである。尚、この代行システムの技術で選択された著作権データの利用（閲覧）は、あくまで、私的使用の範囲内で使用されるので、この技術が著作権違反を助長及び補助するものではない。
【背景技術】
【０００２】インターネット等でのデータの検索及び検索されたデータの閲覧や使用は、広く一般的に普及した技術である。
【先行技術】
【０００３】Ｙａｈｏｏやグーグルの検索システム（画像や動画の検索も含めた）。
【発明の概要】
【発明が解決しようとする課題】
【０００４】前記の先行技術では、入力した情報による検索で、各種のデータ保管サーバーに保管されている著作権データの項目を表示することは出来る。しかし、検索された著作権データが、本物かどうかを判断する、又は個人の視聴者（以下「視聴者」という）が見たい「著作物である映像、音声、画像、及びゲームのデータ（以下「著作物データ」という）」であるかを判断する、及び、視聴者が指定する人に見せたいと希望する著作物データであるかを判断して表示することは出来なかった。例えば、特定の歌手の名前で検索しても、その歌手のモノマネをした人の映像や、歌手本人ではない人（偽物）が映った画像等が多く表示され、どの映像が本物の本人に係る映像かを判断する又は判断して表示するシステムは無かった。そこで、システムによって検索又は入力した情報に対して視聴者に代わって最適と判断した著作権データのアドレスを送信する技術が望まれていた。【０００５】及び、先行技術である映像の検索及び表示システムであるユーチューブには、選択して閲覧した映像データに関連した、又は、今まで検索者が見た実績データから推測して、自動的に次の映像データを表示するシステムはあった。しかし、例えば、まったくジャンルの異なる項目を入力して、その入力に応じて検索された映像を、１つのテレビ番組のようにまとめて１つの番組のように表示することは出来なかった。又、映像の表示に合わせたデータ（例えば、「番組のタイトル」や「歌手の名前」など）を予め記憶しておき表示する映像の前等に表示することは出来なかった。そこで、それらが実現できる技術が望まれていた。
【課題を解決するための手段】
【０００６】請求項１にかかる発明は、個人で見たい又は自分が指定する人に見せたいというような「映像、音声、画像、又はゲームの形態の著作物データ（以下「著作物データ」という）」の閲覧や指定人への表示を希望する個人（以下「依頼者」という）に著作物データ閲覧用の電子アドレスを送信する映像検索の代行システムであって、前記代行システムは、記憶装置、候補表示及び選択受付手段、著作物アドレス抽出手段、受信手段、及び送信手段を備え、前記依頼者の情報端末又は前記依頼者が指定した情報端末とにインターネット等のネットワーク（以下まとめて「インターネット」という）に接続して通信可能とされており、前記記憶装置には前記著作権データの選択の参考項目のデータである候補情報（以下「候補情報」という）と、前記候補情報毎に紐付いた著作物データへのアクセス用電子アドレス（以下「著作物アクセス用アドレス」という）とが格納されており、前記受信手段が前記依頼者の情報端末からアクセスを受信した場合には、前記表示及び選択受付手段が、前記記憶装置に記憶されている前記候補情報に係る選択又は入力欄を表示して前記依頼者に選択又は入力させ依頼済みの前記候補情報（以下「代行依頼済み候補情報」という）を作成して前記著作物アドレス抽出手段に送り、前記著作物アドレス抽出手段が前記記憶装置から前記代行依頼済み候補情報に係る前記著作物アクセス用アドレスを抽出した上で、前記送信手段からインターネット経由で、前記依頼者の情報端末又は前記依頼者が指定した情報端末に送信することを特徴とする、オリジナル映像番組の表示又は編集の代行システムである。【０００７】かかる構成によれば、個人毎の視聴者に代わって、個人の視聴者が見たい又は指定した人に見せたい著作物データ係る映像等を見る又は見せることが出来るようになる。【０００８】請求項２にかかる発明は、前記依頼者の情報端末又は前記依頼者が指定した情報端末に、受信した前記著作物アクセス用アドレスを用いて自動的にインターネット経由で著作物データを閲覧するシステム（以下「情報端末側システム」という）をダウンロードさせて機能させることを特徴とする、請求項１に記載の前記オリジナル映像番組の表示又は編集の代行システムである。【０００９】かかる構成によれば、前記依頼者又は前記依頼者が指定した人が、自分でインターンネットを使ってアクセス、検索、又は検索した著作権データ（映像等）を選択することなく、見たい又は見せたい映像を見ることが出来るようになる。【００１０】請求項３にかかる発明は、前記情報端末側システムに、インターネット経由で受信する著作物データに、指定した保管データを合わせて編集又は表示するシステムを加え機能させることを特徴とする、請求項１または請求項２に記載のオリジナル映像番組の表示又は編集の代行システムである。【００１１】かかる構成によれば、インターネット経由で受信した著作物データ（映像等）を、ただ単に閲覧するのではなく、映像等に合ったタイトル等を映像等の表示前に挿入することが出来、あたかも１つのテレビ番組のように見ることが出来るようになる。【００１２】請求項４にかかる発明は、前記情報端末側システムに、個々の曜日及び時間帯にアクセスする前記著作物アクセス用アドレスを指定時間帯を設定しておき、個別の曜日及び時間帯の到来時に対応して、到来した個別の曜日及び時間帯に指定された前記候補情報に係る前記著作物アクセス用アドレスにインターネット経由でアクセスし著作物データを受信し表示することを特徴とする、請求項１ないし請求項３に記載のオリジナル映像番組の表示又は編集の代行システムである。【００１３】かかる構成によれば、まるで、放映時間がタイムテーブルで決まっているテレビ放送と同じように、決まった時間帯に、見たい又は見せたい映像番組の閲覧が出来るようになる。【００１４】請求項５にかかる発明は、前記情報端末側システムを、全て前記オリジナル映像番組の表示又は編集の代行システム内に装備することを特徴とする、請求項１ないし請求項４に記載のオリジナル映像番組の表示又は編集の代行システムである。【００１５】かかる構成によれば、全てを、前記オリジナル映像番組の表示又は編集の代行システムを用いて代行サービスを提供する者又は企業側で行うことが可能となり、前記依頼者の情報端末又は前記依頼者の指定した人側では、情報端末でデータを受信するだけになる。
【発明の効果】
【００１６】本発明によれば、前記依頼者が、自分が見たい又は指定した人に見せたい著作物データ（映像や音声や画像等）に係る希望項目（候補情報等）を入力さえすれば、自分で検索や本物かどうかの判断の手間や必要なく、インターネットを利用して見たい又は指定した人に見せたい著作物データを閲覧することができるようになる。そして、これらの情報処理は、あくまで、システムが前記依頼者に代わって（代行して）、前記依頼者が自分が見たい又は指定した人に見せたい著作物データ（映像等）を検索及び選択するのであり、日本国の著作権法で個人に対して認められている「著作物の自由利用（著作権法第３０条に規定されている、著作物の私的使用のための複製）」に該当する範囲内で個人が実施する「個人が行う著作物である著作権データのインターネット等でのデータ検索及び表示」を代行又は補助する技術である。及び、このシステムの技術が代行する情報処理技術で検索及び選択判断が行われ表示された著作権データ（映像等）の利用（閲覧）は、あくまで、私的使用の範囲内で使用されるので、この技術が著作権違反を助長及び補助するものではない。【００１７】また、インターネット経由で受信した著作物データをただ単に閲覧するのではなく、著作権データに合ったタイトル等を著作物データの表示前に挿入することが出来、あたかも１つのテレビ番組のように閲覧することが出来るようになる。例えば、最初に「歌番組としてのタイトルを表示し、歌手の映像の受信又は表示前に又は歌手の映像に被せて、受信又は表示する歌手や曲の名前を表示すると、あたかもテレビの歌番組のように見ることが可能となるのである。その上、テレビ放送のタイムテーブルのように番組の放映時間が決まり、その決まった時間帯に、見たい又は見せたい映像番組の閲覧が出来るようにもなる。
【図面の簡単な説明】
【００１８】
【図１】オリジナル映像番組の表示又は編集の代行システムのブロック図である。
【図２】候補情報の選択欄又は入力欄の１例を示す図である。
【図３】著作物データの閲覧時間を定めたタイムテーブルの１例を示す図である。
【発明を実施するための形態】
【実施例１】
【００１９】次に、本発明の実施形態の１つの例を、適宜図面を参照しながら詳細に説明する。図１は個人である前記依頼者が、自分が指定する人（親など）に見せる目的で、例えば「自分が指定する人が好む歌手のみが登場する歌番組のような映像」を創り、自分が指定した人（親など）に見せる事を、本システムで代行する場合の情報処理を行う、前記オリジナル映像番組の表示又は編集の代行システムの１例である。前記オリジナル映像番組の表示又は編集の代行システム（１）は、記憶装置（２）、候補表示及び選択受付手段（３）、著作物アドレス抽出手段（４）、受信手段（５）、及び送信手段（６）で構成されており、受信手段（５）と送信手段（６）は、インターネットに接続している。また、インターネットで、依頼者の情報端末（７）と、その依頼者が自分が選択した著作物データ（映像等）を見せたい人が使用する依頼者の指定する情報端末（８）とに通信可能となっている。そして、前記記憶装置（２）には、著作物データ（映像等）の選択基準となる候補情報（９）（以下「候補情報」という」という）と、個々の前記候補情報（９）に紐付いた著作物アクセス用アドレス（１０）と依頼者情報（１１）の少なくともいずれか１つが記憶されている。尚、前記依頼者情報（１１）には前記依頼者が自分が選んだ著作物データを見せたい（送信したい）人を指定した場合は、前記依頼者の指定する情報端末（８）の電子アドレスも含まれても良い。【００２０】  以下、前記依頼者が「自分の指定する人が好むと考える歌手のみが歌っている映像が流れる、あたかも歌番組のように編集された映像（以下合わせて「独自の歌番組」という）」の検索又は編集の代行依頼の場合の情報処理について説明する。まず、前記オリジナル映像番組の表示又は編集の代行システム（１）の前記記憶装置（２）には、前記候補情報（９）と依頼者情報（１１）を前記記憶装置（２）に記憶しておく。尚、前記候補情報（９）とは前記依頼者からの自分が見たい又は指定人に見せたい著作物データの検索や選択編集の代行の依頼内容を分かりすく聞き出すために必要な候補項目を集めた情報集であり、この独自の歌番組に係る著作物データの検索又は選択編集の代行依頼の場合には、具体的には「歌手の名前又は曲名のリスト」となる。【００２１】  及び、前記候補情報（９）内の各候補項目として記憶する予定又は記憶している「歌手の名前」をキーとして、本システム外で、インターネットの各種検索エンジンシステムを利用して検索し出てきた映像等を、１つ１つ人手を掛けて及び人の目で見て判断する。その判断の内容は、「歌手の名前」と映像に映っている又は映像の中で歌っている歌手の映像等が本物かどうか、又は、閲覧者に満足してもらえる映像かどうかを、予め定めた基準に基づいて判断する、又は個人的に判断する。そして、「歌手の名前」に対して「適当」と判断された映像へインターネット経由でアクセスするための「アドレス」を調べ、前記候補情報（９）内に記憶している「歌手の名前」と紐付けて記憶する。尚、１つの歌手名について２つ以上の映像へのアクセスするためのアドレスである著作物アクセス用アドレス（１０）が記憶された場合には、その適当との判断の度合い他を考慮し��、個々の前記著作物アクセス用アドレス（１０）毎に優先順位を付け、送信する時には、その優先順位に沿って、上位から下位の順で送信する。また、一度送信した先には、次の順位から送信するように設定するとよい。（一番下位の次は一番上位に戻ることにしても良い）【００２２】  その後、前記依頼者の情報端末（７）からの独自の歌番組の代行編集用アドレス送信の依頼（見たい依頼）がインターネット等のネットワークを経由して前記受信手段（５）にアクセスされると、前記受信手段（５）が、その前記依頼者の情報端末（７）からのアクセスを前記記憶装置（２）に記憶されている前記依頼者情報（１１）との照合と、前記依頼者の独自の歌番組代行編集用アドレスの送信依頼の意思確認が完了した場合には、前記依頼者の情報端末（７）に対して前記候補表示及び選択受付手段（３）が、前記候補情報（９）を表示する。この場合に表示する前記候補情報（９）を表す１例を図２に記載する。図２で例示するように、まず、最初に、どのジャンルの著作物データに係る映像を見たいか又は見るための編集代行を依頼するかの質問となる「候補項目」が表示される。そして、表示された「候補項目」の中から「独自の歌番組」をクリックすると、その下に「歌手の名前が記載された候補項目」として表示される。この場合、見せたくない映像等のジャンルの項目も合わせて表示し、見せたくない映像等のジャンルに係る映像が表示されないようにしてもよい。【００２３】次に、「歌手の名前が記載された候補項目」の中から、見せたい歌手の名前をクリックする。
（図２では、氏名ＢとＥが選択された）、又は、候補項目に表示されていない歌手の名前を、設置されている入力欄に入力してもよい。そして、このように入力された情報（以下「選択情報」という）が前記候補表示及び選択受付手段（３）から前記著作物アドレス抽出手段（４）に送られ、前記前記著作物アドレス抽出手段（４）により、前記選択情報内の歌手名と同じ歌手名に紐付いて前記記憶装置（２）内に記憶されている前記著作物アクセス用アドレス（１０）を抽出し、前記送信手段（６）から、前記依頼者の情報端末（７）又は前記依頼者の指定する情報端末（８）に送信する。その前記著作物アクセス用アドレス（１０）を受信した前記依頼者の情報端末（７）又は前記依頼者の指定する情報端末（８）側では、その送られてきたインターネット経由で前記著作物アクセス用アドレス（１０）にアクセスし、前記依頼者が前記選択情報として選択又は入力した歌手が歌っている本物の映像を見ることが出来る。また、独自の歌番組の他に、映画予告編、ドラマ、昔の風景、ニュース映像等についても、前記の独自の歌番組と同様に想定できる。
【実施例２】
【００２４】次に、前記依頼者の情報端末（７）又は前記依頼者が指定した情報端末（８）側で、映像を自動編集して閲覧できる場合について説明する。まず、自動的に受信した前記著作物アクセス用アドレス（１０）を用いて、インターネット経由で著作物データを閲覧するシステム（以下「情報端末側システム（１２）」という）を、前記依頼者の情報端末（７）又は前記依頼者が指定した情報端末（８）にインターネット経由で送信しダウンロードさせておく。すると、前記実施例１に記載のように、インターネット経由で前記オリジナル映像番組の表示又は編集の代行システム（１）から前記著作物アクセス用アドレス（１０）が送られてきた場合は、自動的に前記情報端末側システム（１２）が前記著作物アクセス用アドレス（１０）を取り込み記憶する。また、送信されてくる前記著作物アクセス用アドレス（１０）に合わせて表示用データ（１３）も送られて、こちらも前記情報端末側システム（１２）が取り込み記憶する。そして、前記依頼者の情報端末（７）又は前記依頼者が指定した情報端末（８）によって、映像表示開始の信号が前記情報端末側システム（１２）に送られた場合には、前記情報端末側システム（１２）がインターネット経由で、記憶している前記著作物アクセス用アドレス（１０）にアクセスし、情報端末の表示部に前記著作物アクセス用アドレス（１０）に係る映像を表示する。【００２５】  尚、その情報端末の表示部に前記著作物アクセス用アドレス（１０）に係る映像を表示する前に、予め記憶しておいた前記表示用データ（１３）を前記著作物アクセス用アドレス（１０）に係る映像の表示の前に表示しても良い。例えば、歌手が歌うの映像の前に、前記表示用データ（１３）である「歌番組というタイトル」や「歌手の名前を紹介するテロップ」等を表示すると、あたかもテレビの歌番組のような映像の演出効果を得ることが出来る。また前記表示用データ（１３）を表示映像に被せて表示するようにしても良い。
【実施例３】
【００２６】次に、前記依頼者の情報端末（７）又は前記依頼者の指定する情報端末（８）から、特定の前記候補情報（９）に係る前記前記著作物アクセス用アドレス（１０）にアクセスする場合に、曜日等の時間帯（以下「指定時間帯」という）を予め指定してアクセスし映像等を表示する場合について説明する。まず、前記前記依頼者の情報端末（７）又は前記依頼者が指定した情報端末（８）にダウンロードする前記情報端末側システム（１２）に、特定の前記候補情報（９）毎のアクセス実行の指定時間帯を記憶しておく。そして、その指定時間帯について、前記依頼者の情報端末（７）又は前記依頼者の指定する情報端末（８）から、インターネット経由で、記憶している特定の前記候補情報（９）に係る前記著作物アクセス用アドレス（１０）にアクセスし情報端末の表示部に前記著作物アクセス用アドレス（１０）に係る映像を表示する。このようにすることで、表示のタイムテーブルに則り、指定時間帯に、選択した映像が見られることとなる。また、表示する映像にタイトルやテロップを合わせて表示（例えば「８時の歌番組」というように）することで、よりテレビの番組放映に近い映像配信を行うことが出来るようになる。また、図３で著作物データの閲覧時間を定めたタイムテーブルの１例を示したように、タイムテーブルの中の一部の時間帯のみに、この前記指定時間帯を用いた映像の閲覧時間帯としても良い。
【産業上の利用可能性】
【００２７】本発明は、携帯電話端末、ＰＤＡ（Ｐｅｒｓｏｎａｌ  Ｄｉｇｉｔａｌ  Ａｓｓｉｓｔａｎｔ）等の携帯端末、ＰＣ（パーソナルコンピュータ）、大型コンピュータ等のシステムの各サーバ又は端末装置に利用することが可能である。
【符号の説明】
【００２８】（１）    オリジナル映像番組の表示又は編集の代行システム
（２）    記憶装置
（３）    候補表示及び選択受付手段
（４）    著作物アドレス抽出手段
（５）    受信手段
（６）    送信手段
（７）    依頼者の情報端末
（８）    依頼者の指定する情報端末
（９）    候補情報
（１０）  著作物アクセス用アドレス
（１１）  依頼者情報
（１２）  情報端末側システム
（１３）  表示用データ
【図１】
2017188054.tif 000003
【図２】
2017188054.tif 000004
【図３】
2017188054.tif 000005